【手続補正書】
【提出日】平成30年3月22日(2018.3.22)
【手続補正１】
【補正対象書類名】明細書
【補正対象項目名】００７２
【補正方法】変更
【補正の内容】
【００７２】
本明細書に引用されるすべての参考文献及び刊行物は、それらが本開示と直接矛盾しう
る場合を除き、それらの全容を参照によって本開示に明確に援用するものである。以上、
本明細書において具体的な実施形態を図示、説明したが、様々な代替的かつ／又は等価的
な実現形態を、本開示の範囲を逸脱することなく、図示及び説明された具体的な実施形態
に置き換えることができる点は、当業者であれば認識されるところであろう。本出願は、
本明細書において検討される具体的な実施形態のいかなる適合例又は変形例をも網羅しよ
うとするものである。したがって、本開示は、「特許請求の範囲」及びその等価物によっ
てのみ限定されるものとする。
〔項目１〕
凹状の第１の主面、反対側の第２の主面、及びその間に配置された埋め込み型リフレクターを有するレンズと、
第１の偏光方向と整列され、前記凹状の第１の主面に隣接して配置された反射型偏光子と、
前記第１の偏光方向と移相角度をなして整列された速軸を有する、前記反射型偏光子と前記埋め込み型リフレクターとの間の移相子と、を有する、光学素子。
〔項目２〕
前記移相子が、前記反射型偏光子に直接隣接して配置された、項目１に記載の光学素子。
〔項目３〕
前記移相子が、前記埋め込み型リフレクターと直接隣接して配置された、項目１に記載の光学素子。
〔項目４〕
前記移相子が１／４波長移相子であり、前記移相角度が約４５°である、項目１に記載の光学素子。
〔項目５〕
前記埋め込み型リフレクターが部分リフレクターを含む、項目１に記載の光学素子。
〔項目６〕
前記部分リフレクターが、少なくとも第１の波長域の光を反射し、他の波長域の光は透過することが可能なダイクロイックリフレクターを含む、項目５に記載の光学素子。
〔項目７〕
前記部分リフレクターが広帯域部分ミラーを含む、項目５に記載の光学素子。
〔項目８〕
前記埋め込み型リフレクターが平面リフレクターである、項目１に記載の光学素子。
〔項目９〕
前記埋め込み型リフレクターが、入射光線をコリメートすることが可能な曲面リフレクターである、項目１に記載の光学素子。
〔項目１０〕
凹状の第１の主面、反対側の第２の主面、及びその間に配置された埋め込み型リフレクターを有するレンズと、
第１の偏光方向と整列され、前記凹状の第１の主面に隣接して配置された反射型偏光子と、
前記第１の偏光方向と移相角度をなして整列された速軸を有する、前記凹状の第１の主面と前記反射型偏光子との間の移相子と、
前記第１の偏光方向に偏光された光を含む画像光線を、前記凹状の第１の主面に向けて投射するように配置された画像形成装置と、を有し、
前記画像光線の少なくとも一部を、前記画像形成装置に隣接して配置される目に向けることが可能である、ヘッドマウントディスプレイ。
〔項目１１〕
前記移相子が、前記反射型偏光子に直接隣接して配置された、項目１０に記載のヘッドマウントディスプレイ。
〔項目１２〕
前記移相子が、前記埋め込み型リフレクターと直接隣接して配置された、項目１０に記載のヘッドマウントディスプレイ。
〔項目１３〕
前記移相子が１／４波長移相子であり、前記移相角度が約４５°である、項目１０に記載のヘッドマウントディスプレイ。
〔項目１４〕
前記埋め込み型リフレクターが部分リフレクターを含む、項目１０に記載のヘッドマウントディスプレイ。
〔項目１５〕
前記部分リフレクターが、少なくとも第１の波長域の光を反射し、他の波長域の光は透過することが可能なダイクロイックリフレクターを含む、項目１４に記載のヘッドマウントディスプレイ。
〔項目１６〕
前記部分リフレクターが広帯域部分ミラーを含む、項目１４に記載のヘッドマウントディスプレイ。
〔項目１７〕
前記埋め込み型リフレクターが平面リフレクターである、項目１０に記載のヘッドマウントディスプレイ。
〔項目１８〕
前記埋め込み型リフレクターが、入射光線をコリメートすることが可能な曲面リフレクターである、項目１０に記載のヘッドマウントディスプレイ。
〔項目１９〕
目の視線の方向、目の瞳孔の直径、目の瞳孔の直径の変化、まぶたの瞬き、目が追跡する物体、サッケード眼球運動、又はこれらの組み合わせを検出するように配置されたトラッキング装置を更に有する、項目１０に記載のヘッドマウントディスプレイ。
〔項目２０〕
前記トラッキング装置が、
前記埋め込み型リフレクターに向けて光線を投射するように配置されたイルミネーターであって、前記光線の一部が反射されて前記イルミネーターに隣接して配置される前記目を照らす、イルミネーターと、
前記イルミネーターに隣接して配置され、前記照らされた目の画像を受信することが可能な画像受信装置と、を有する、項目１９に記載のヘッドマウントディスプレイ。
〔項目２１〕
凹状の第１の主面及び反対側の第２の主面を有するレンズと、
前記凹状の第１の主面に隣接して配置された部分リフレクターと、
前記部分リフレクターに向けて光線を投射するように配置されたイルミネーターであって、前記光線の一部が前記部分リフレクターによって反射され、前記イルミネーターに隣接して配置される目を照らすことが可能なイルミネーターと、
前記イルミネーターに隣接して配置され、前記部分リフレクターから反射された前記照らされた目の画像を受信することが可能な画像受信装置と、を有する、ヘッドマウントトラッキング装置。
〔項目２２〕
前記部分リフレクターが、少なくとも第１の波長域の光を反射し、他の波長域の光は透過することが可能なダイクロイックリフレクターを含む、項目２１に記載のヘッドマウントトラッキング装置。
〔項目２３〕
前記部分リフレクターが広帯域部分ミラーを含む、項目２１に記載のヘッドマウントトラッキング装置。
〔項目２４〕
前記部分リフレクターが、第１の偏光方向と整列され、前記凹状の第１の主面に隣接して配置された反射型偏光子を含む、項目２１に記載のヘッドマウントトラッキング装置。
〔項目２５〕
前記画像受信装置が、目の視線の方向、目の瞳孔の直径、目の瞳孔の直径の変化、まぶたの瞬き、目が追跡する物体、サッケード眼球運動、又はこれらの組み合わせを検出することが可能である、項目２１に記載のヘッドマウントトラッキング装置。
〔項目２６〕
凹状の第１の主面、反対側の第２の主面、及び埋め込み型リフレクターを有するレンズと、
第１の偏光方向と整列され、前記凹状の第１の主面に隣接して配置された反射型偏光子と、
前記第１の偏光方向と移相角度をなして整列された速軸を有する、前記凹状の第１の主面と前記反射型偏光子との間の移相子と、
前記第１の偏光方向に偏光された光を含む画像光線を前記凹状の第１の主面に向けて投射するように配置された画像形成装置であって、前記画像光線の少なくとも一部を、前記画像形成装置に隣接して配置される目に向けることが可能である、画像形成装置と、
前記画像形成装置に隣接して配置されたイルミネーターであって、前記反射型偏光子に向けてイルミネーターの光線を投射することが可能なイルミネーターと、
前記イルミネーターに隣接して配置された画像受信装置と、を有し、
前記反射型偏光子、前記移相子、及び前記埋め込み型リフレクターがともに、前記イルミネーターに隣接して配置される前記目を照らすことが可能であり、前記画像受信装置が前記照らされた目の画像を受信することが可能である、トラッキングヘッドマウントディスプレイ。
〔項目２７〕
前記移相子が、前記反射型偏光子に直接隣接して配置された、項目２６に記載のトラッキングヘッドマウントディスプレイ。
〔項目２８〕
前記移相子が、前記埋め込み型リフレクターと直接隣接して配置された、項目２６に記載のトラッキングヘッドマウントディスプレイ。
〔項目２９〕
前記移相子が１／４波長移相子であり、前記移相角度が約４５°である、項目２６に記載のトラッキングヘッドマウントディスプレイ。
〔項目３０〕
前記埋め込み型リフレクターが部分リフレクターを含む、項目２６に記載のトラッキングヘッドマウントディスプレイ。
〔項目３１〕
前記部分リフレクターが、少なくとも第１の波長域の光を反射し、他の波長域の光は透過することが可能なダイクロイックリフレクターを含む、項目３０に記載のトラッキングヘッドマウントディスプレイ。
〔項目３２〕
前記部分リフレクターが広帯域部分ミラーを含む、項目３０に記載のトラッキングヘッドマウントディスプレイ。
〔項目３３〕
前記埋め込み型リフレクターが平面リフレクターである、項目２６に記載のトラッキングヘッドマウントディスプレイ。
〔項目３４〕
前記埋め込み型リフレクターが、入射光線をコリメートすることが可能な曲面リフレクターである、項目２６に記載のトラッキングヘッドマウントディスプレイ。
〔項目３５〕
前記イルミネーターの光線が、前記第１の偏光方向と整列された偏光された光線を含む、項目２６に記載のトラッキングヘッドマウントディスプレイ。
〔項目３６〕
前記照らされた目の画像が、目の視線の方向、目の瞳孔の直径、目の瞳孔の直径の変化、まぶたの瞬き、目が追跡する物体、サッケード眼球運動、及びこれらの組み合わせを含む、項目２６に記載のトラッキングヘッドマウントディスプレイ。
【手続補正２】
【補正対象書類名】特許請求の範囲
【補正対象項目名】全文
【補正方法】変更
【補正の内容】
【特許請求の範囲】
【請求項１】
凹状の第１の主面、反対側の第２の主面、及びその間に配置された埋め込み型リフレクターを有するレンズと、
第１の偏光方向と整列され、前記凹状の第１の主面に隣接して配置された反射型偏光子と、
前記第１の偏光方向と移相角度をなして整列された速軸を有する、前記反射型偏光子と前記埋め込み型リフレクターとの間の移相子と、を有する、光学素子。
【請求項２】
凹状の第１の主面、反対側の第２の主面、及びその間に配置された埋め込み型リフレクターを有するレンズと、
第１の偏光方向と整列され、前記凹状の第１の主面に隣接して配置された反射型偏光子と、
前記第１の偏光方向と移相角度をなして整列された速軸を有する、前記凹状の第１の主面と前記反射型偏光子との間の移相子と、
前記第１の偏光方向に偏光された光を含む画像光線を、前記凹状の第１の主面に向けて投射するように配置された画像形成装置と、を有し、
前記画像光線の少なくとも一部を、前記画像形成装置に隣接して配置される目に向けることが可能である、ヘッドマウントディスプレイ。